Podtech/llm-jp-corpus-v4-ja_patent huggingface dataset:
【誤訳訂正書】
【提出日】令和2年6月1日(2020.6.1)
【誤訳訂正１】
【訂正対象書類名】特許請求の範囲
【訂正対象項目名】全文
【訂正方法】変更
【訂正の内容】
【特許請求の範囲】
【請求項１】
電気機械であって、
ロータ間に配設されたステータを備え、
前記ロータは前記電気機械の軸の周囲の前記ステータに対する回転のために軸受上に装着されており、前記ロータはそれぞれのエアギャップによって、前記ステータから分離されており、
前記ステータは構造部材及び磁気ポストを備え、各構造部材は積層体で形成されており、各積層体の最小寸法は軸方向に延びており、各積層体は、前記磁気ポストの周囲の電流回路の完成に対する障壁として機能する半径方向の切り込みを含み、それぞれの積層体の前記半径方向の切り込みは、前記積層体のポストスロットから隣接する縁部まで作製され、前記半径方向の切り込みが、前記ポストスロットの対向する側部間の隣接する積層体上で交互になっており、
各構造部材が、ポストスロットを有し、前記磁気ポストは前記構造部材による前記磁気ポストの支持のために前記ポストスロット内に固定されており、
前記電気機械は、
一連の整流された電磁極を生成するために前記ポストの周囲に配設されている、１つ以上の電気的導体を備える、
電気機械。
【請求項２】
Ｍ極及びＮポストが存在し、Ｎ及びＭの最大公約数が、３以上である、請求項１に記載の電気機械。
【請求項３】
各ポストが、電気絶縁積層体又は粉末を含む、渦電流低減特性を含む、請求項１又は２に記載の電気機械。
【請求項４】
前記ポストが、積層された鉄材料を含む、請求項１に記載の電気機械。
【請求項５】
前記ポストが、電気的に絶縁された粉末化材料を含む、請求項１に記載の電気機械。
【請求項６】
前記構造部材が装着されているステータ骨格を更に備える、請求項１に記載の電気機械。
【請求項７】
前記構造部材が、前記ステータ骨格上のリッジによって軸方向に離間されている、請求項６に記載の電気機械。
【請求項８】
前記ステータ骨格が、半径方向内側部と、半径方向外側部と、を備える、請求項６に記載の電気機械。
【請求項９】
前記軸受が、前記ロータと前記骨格の半径方向内側部との間のラジアル軸受と、前記ロータと前記骨格の前記半径方向外側部との間の軸方向のスラスト軸受と、を備える、請求項８に記載の電気機械。
【請求項１０】
前記構造部材が、前記構造部材と、前記ポストと、前記骨格の半径方向内側部と、前記骨格の半径方向外側部との間にチャンバを形成し、チャネルが、前記骨格の前記半径方向内側部の周囲に延在し、前記チャンバ及び前記チャネルが、組み合わさって、前記ステータ内に冷却チャンバを形成する、請求項７に記載の電気機械。
【請求項１１】
前記半径方向の切り込みが、止まりスロットからなる、請求項１に記載の電気機械。
【請求項１２】
前記磁気ポストが、積層されている、請求項１に記載の電気機械。
【請求項１３】
前記磁気ポストが、磁性材料を含む、請求項１２に記載の電気機械。
【請求項１４】
前記積層された磁気ポストが、前記構造部材の両方の側部上で軸方向に外方に延在し、かつ全ての前記構造部材を通過し、各ポストが、磁気双極子を形成し、前記ロータの軸方向に対向する磁石が、反対の極性を有する、請求項１２に記載の電気機械。
【請求項１５】
前記構造部材が、非磁性材料を含む、請求項１に記載の電気機械。
【請求項１６】
前記構造部材の前記積層体が、陽極酸化アルミニウムを含む、請求項１５に記載の電気機械。
【請求項１７】
前記磁気ポストが、それぞれのショルダを画定する、拡大された中央セクションを有し、前記それぞれのショルダが、前記構造部材に係合して、前記構造部材内の前記磁気ポストの軸方向の移動に抵抗する、請求項１に記載の電気機械。
【誤訳訂正２】
【訂正対象書類名】明細書
【訂正対象項目名】００１３
【訂正方法】変更
【訂正の内容】
【００１３】
図１に示されるように、電気機械は、骨格２６と、ロータ５０及び５２間に配設された構造積層体アセンブリ５６と、を有する、ステータを備え、ロータ５０、５２は、電気機械の軸の周囲のステータに対する回転のために、軸受３２、３４上に装着されている。軸の近似位置は、図４においてＡとして識別される。ロータ５０、５２は、それぞれのエアギャップ５８によって、ステータから分離されている。図２に示されるように、ステータ構造積層体アセンブリ５６は、構造部材２４を備え得、各構造部材は、図２に示されるように、環状積層体３８、４０で形成され、各積層体３８、４０は、軸方向に延在する最小寸法を有する。各構造部材２４、及び対応する積層体は、開口又はスロット６０と、構造部材２４による磁気ポストの支持のための、スロット６０内に固定された（図４に示されるような）磁気ポスト３６と、を有する。スロット６０は、半径方向に延在する最長寸法、周方向に延在する中間寸法、及び軸方向に延在する深さを有し得る。図２に示されるように、１つ以上の電気的導体２０は、一連の整流された電磁極を生成するために、ポスト３６の周囲に配設されている。Ｍ極及びＮポストが存在し得、Ｎ及びＭの最大公約数は、３以上である。
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
超音波トランスデューサ基板の第1の側に隣接して配置された複数のトランスデューサセルを有する超音波トランスデューサ基板を含む超音波オンチップデバイスと、
少なくとも1つのトランスデューサセルのために、前記超音波トランスデューサ基板の第２の側と電気基板との間に配置された１つまたは複数の導電性ボンディング接続部と、
前記超音波トランスデューサ基板の複数の音響的不活性領域の少なくとも１つの音響的不活性領域に接続された単一の導電性ボンディング接続部と
を含み、
それぞれの単一の導電性ボンディング接続が前記超音波トランスデューサ基板と前記電気基板との間に配置された、装置。
【請求項２】
前記１つまたは複数の導電性ボンディング接続部が、前記複数のトランスデューサセルのうちのトランスデューサセルの領域に対して実質的に均一に分散された、請求項１に記載の装置。
【請求項３】
前記１つまたは複数の導電性ボンディング接続部が、熱圧着接続部と、共晶接続部と、シリサイド接続部とのうちの１つまたは複数を含む、請求項１に記載の装置。
【請求項４】
前記１つまたは複数の導電性ボンディング接続部が、その第１の端部において前記超音波トランスデューサ基板のシリコン層の導電部と接触し、その第２の端部において前記電気基板の金属層と接触する、請求項１に記載の装置。
【請求項５】
前記超音波トランスデューサ基板の前記複数の音響的不活性領域が、前記複数のトランスデューサセルのうちのトランスデューサセルの隣接する対の間に配置された、請求項１に記載の装置。
【請求項６】
前記複数のトランスデューサセルが、前記超音波トランスデューサ基板のシリコン層の導電部上で、前記シリコン層に形成された分離トレンチによって互いに電気的に分離されている、請求項５に記載の装置。
【請求項７】
前記分離トレンチが、前記複数のトランスデューサセルの個別トランスデューサセルに対応する八角形領域を形成する、請求項６に記載の装置。
【請求項８】
前記音響的不活性領域が、４つの隣接する八角形領域間の境界によって画定される、請求項７に記載の装置。
【請求項９】
前記１つまたは複数のボンディング接続部のそれぞれが、約１００ミクロン（μｍ）以下の距離によって最も近い隣接ボンディング接続部から離隔されている、請求項１に記載の装置。
【請求項１０】
前記超音波トランスデューサ基板と前記電気基板は、複数の空洞を間に画定するように互いにボンディングされている、請求項１に記載の装置。
【請求項１１】
前記複数のトランスデューサセルのそれぞれが、前記複数の空洞のうちの１つの空洞に対応する、請求項１０に記載の装置。
【請求項１２】
前記複数のトランスデューサセルによって画定された超音波トランスデューサアレイを囲む封止リングをさらに含む、請求項１に記載の装置。
【請求項１３】
前記封止リングが、前記超音波トランスデューサ基板と前記電気基板との間に電気的接続をもたらす、請求項１２に記載の装置。
【請求項１４】
プローブをさらに備え、前記超音波オンチップデバイスは、前記プローブ内に配置される、請求項１に記載の装置。
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
サンプル中の少なくとも１つの標的核酸を検出する方法であって、次の工程：
(1) 少なくとも１つの標的分子の第一の特定領域を認識し結合することができる少なくとも１つのプローブと前期サンプルとを接触させ、ここで前記少なくとも１つのプローブは標的結合ドメインとバーコードドメインを含み、
前記標的結合ドメインは少なくとも４個のヌクレオチドを含みそして前記標的核酸の第一の特定領域を認識し結合することができ、前記標的結合ドメインは既知ヌクレオチド配列を含み；
前記バーコードドメインは、第一のレポーター複合体の第一の相補的核酸分子により結合可能である核酸配列を含む第一の結合領域と、少なくとも第二のレポーター複合体の少なくとも第二の相補的核酸分子により結合可能である核酸配列を含む少なくとも第二の結合領域とを含んでなるバーコードドメインを含み；
前記第一の結合領域の配列は前記少なくとも第二の結合領域の配列と異なり；
(2)第一の検出可能標識を含む第一のレポーター複合体の第一の相補的核酸分子を、前記第一の結合領域に結合させ、それにより検出可能標識を前記第一の結合領域と関連付け；
(3) 前記第一の結合領域に関連付けられた前記第一の検出可能標識を検出し；
(4) 前記第一の検出可能標識を除去し；
(5)第二の検出可能標識を含む少なくとも第二のレポーター複合体の少なくとも第二の相補的核酸分子を、前記少なくとも第二の結合領域に結合させ、それにより検出可能標識を前記少なくとも第二の結合領域に関連付け；そして
(6) 前記少なくとも第二の結合領域に関連付けられた第二の検出可能標識を検出し；
ここで前記第一の結合領域に関連付けられた第一の検出可能標識と前記少なくとも第二の結合領域に関連付けられた第二の検出可能標識の線形順序または順次が、前記少なくとも１つの標的分子の特定領域を同定し、それにより前記サンプル中の少なくとも１つの標的核酸を検出する
を含む方法。
【請求項２】
前記バーコードドメインが、少なくとも第三のレポーター複合体により結合可能である核酸配列を含む少なくとも第三の結合領域を含んでなり；
ここで前記少なくとも第三の結合領域の配列は他の結合領域の配列とは異なる、
請求項１記載の方法。
【請求項３】
次の工程：
(7) 前記第二の検出可能標識を除去し；
(8)第三の検出可能標識を含む少なくとも第三のレポーター複合体の少なくとも第三の相補的核酸分子を、前記少なくとも第三の結合領域に結合させ、それにより検出可能標識を前記少なくとも第三の結合領域に関連付け；そして
(9) 前記少なくとも第三の結合領域に関連付けられた第三の検出可能標識を検出し；
ここで前記第一の結合領域に関連付けられた第一の検出可能標識、前記少なくとも第二の結合領域に関連付けられた第二の検出可能標識および前記少なくとも第三の結合領域に関連付けられた第三の検出可能標識の線形順序または順次が、前記少なくとも１つの標的分子の特定領域を同定し、それにより前記サンプル中の少なくとも１つの標的核酸を検出する
を更に含む、請求項２記載の方法。
【請求項４】
前記バーコードドメインが、少なくとも第四のレポーター複合体により結合可能である核酸配列を含む、少なくとも第四、少なくとも第五、少なくとも第六または少なくとも第七の結合領域を含み；
ここで前記少なくとも第四の結合領域の配列が他の結合領域の配列とは異なる
請求項２記載の方法。
【請求項５】
(a) 各々の検出可能標識を除去し；
(b) 各々の結合領域を、検出可能標識を含むレポーター複合体の相補的核酸分子に結合させ、それにより検出可能標識を前記各々の結合領域と関連付け；そして
(c) 結合領域に関連付けられた各々の検出可能標識を検出する
という工程を、前記バーコードドメイン中の各結合領域が検出可能標識を含むレポーター複合体の相補的核酸分子により連続的に結合され、そして連続的に結合された相補的核酸分子の検出可能標識が検出されるまで繰り返し；
ここで前記各結合領域に関連付けられた検出可能標識の線形順序または順次が、前記少なくとも１つの標的分子の特定領域を同定し、それにより前記サンプル中の少なくとも１つの標的核酸を検出することを特徴とする、請求項４記載の方法。
【請求項６】
前記工程(4)の第一の検出可能標識の除去または前記工程(7)の第二の検出可能標識の除去が、少なくとも第一のレポーター複合体の第一の相補的核酸分子を、第一の検出可能標識を遊離させるのに十分な力で前記第一の相補的核酸分子の一箇所に接触させることを含む、請求項１または３記載の方法。
【請求項７】
前記力が光である、請求項６記載の方法。
【請求項８】
前記検出可能標識が、それらの発光スペクトルにより各々同定することができる多重成分を含む、請求項１〜３のいずれか一項記載の方法。
【請求項９】
前記検出可能標識が蛍光成分を含む、請求項８記載の方法。
【請求項１０】
前記各成分の発光スペクトルが同一または異なる、請求項８記載の方法。
【請求項１１】
少なくとも１つの成分の発光スペクトルが他の成分とは異なる、請求項８記載の方法。
【請求項１２】
少なくとも前記標的核酸の第一の位置を、基板に選択的に結合する第一のアフィニティー結合試薬を含む第一の捕捉プローブと結合させた後、前記標的核酸が基板に固定化され、ここで前記第一の捕捉プローブは少なくとも１つのプローブが前記標的核酸に結合する位置とは異なる標的核酸上の位置で標的核酸を結合する、請求項１記載の方法。
【請求項１３】
前記第一のレポーター複合体の第一の相補的核酸分子、少なくとも第二のレポーター複合体の少なくとも第二の相補的核酸分子、又は少なくとも第三のレポーター複合体の少なくとも第三の相補的核酸分子、の少なくとも一つが、少なくとも一つの開裂可能リンカーを含む、請求項１〜３のいずれか一項記載の方法。
【請求項１４】
前記検出可能標識を含む各レポーター複合体が、開裂可能リンカーを介して第一の核酸分子に間接的に連結された相補的核酸分子を含む、請求項１〜３のいずれか一項記載の方法。
【請求項１５】
各第一の核酸分子が少なくとも１つ、少なくとも２つ、少なくとも３つ、少なくとも４つ、少なくとも５つまたは少なくとも６つの第二の核酸分子にハイブリダイズされる、請求項１４記載の方法。
【請求項１６】
各第二の核酸分子が独立に開裂可能リンカーを含む、請求項１５記載の方法。
【請求項１７】
前記開裂可能リンカーが、光開裂可能、化学的開裂可能および酵素的開裂可能リンカーの群より独立に選択される、請求項１６記載の方法。
【請求項１８】
前記１または複数の第二の核酸分子が少なくとも１つの検出可能標識を含む、請求項１５記載の方法。
【請求項１９】
各第二の核酸分子が、少なくとも１つの検出可能標識を含む、少なくとも１つ、少なくとも２つ、少なくとも３つ、少なくとも４つ、少なくとも５つ、少なくとも６つまたは少なくとも７つの第三の核酸分子にハイブリダイズされる、請求項１５記載の方法。
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
ａ）
ｉ）エピトープ、及び
ｉｉ）第１の主要組織適合抗原複合体（ＭＨＣ）ポリペプチド
を含む第１のポリペプチドと、
ｂ）
ｉ）第２のＭＨＣポリペプチド、及び
ｉｉ）任意選択の免疫グロブリン（Ｉｇ）Ｆｃポリペプチドまたは非Ｉｇ骨格
を含む第２のポリペプチドと、
ｃ）少なくとも第１の免疫調節ポリペプチド及び第２の免疫調節ポリペプチドと、
を含むヘテロ二量体ポリペプチドを含む多量体ポリペプチドであって、
前記第１の免疫調節ポリペプチドと前記第２の免疫調節ポリペプチドとは異なっており、
前記第１の免疫調節ポリペプチドまたは前記第２の免疫調節ポリペプチドは、配列番号１に示されるＣＤ８０アミノ酸配列に対して少なくとも８５％のアミノ酸配列同一性を有するアミノ酸配列を含み、配列番号１に示されるＣＤ８０アミノ酸配列と比較して１つまたは複数のアミノ酸置換を有する変異ＣＤ８０ポリペプチドであり、前記変異ＣＤ８０ポリペプチドは、ＣＴＬＡ４ポリペプチドに対する変異ＣＤ８０ポリペプチドの親和性よりも高い親和性でＣＤ２８ポリペプチドに結合し、ＣＤ２８ポリペプチドに対する変異ＣＤ８０ポリペプチドの結合親和性と、ＣＴＬＡ４ポリペプチドに対する変異ＣＤ８０ポリペプチドの結合親和性との比が、少なくとも１．５：１であり、
前記第１の免疫調節ポリペプチドまたは前記第２の免疫調節ポリペプチドは、配列番号２〜４のうちの１つに示されるＣＤ８０アミノ酸配列に対して少なくとも８５％のアミノ酸配列同一性を有するアミノ酸配列を含み、配列番号２〜４のうちの１つと比較して少なくとも１つのアミノ酸置換を有する変異４−１ＢＢＬポリペプチドであり、前記変異４−１ＢＢＬポリペプチドは、４−１ＢＢポリペプチドに対する配列番号２〜４のうちの１つに示されるアミノ酸配列を有する４−１ＢＢＬポリペプチドの結合親和性と比較して、図５に示されるアミノ酸配列を有する４−１ＢＢポリペプチドに対する結合親和性の低下を示す、
多量体ポリペプチド。
【請求項２】
前記ＣＤ２８ポリペプチドに対する前記変異ＣＤ８０ポリペプチドの結合親和性と、前記ＣＴＬＡ４ポリペプチドに対する前記変異ＣＤ８０ポリペプチドの結合親和性との比が、２：１〜１０：１である、請求項１に記載の多量体ポリペプチド。
【請求項３】
前記変異ＣＤ８０ポリペプチドは、ＣＤ２８ポリペプチドに対する、図２に示されるアミノ酸配列を有するＣＤ８０ポリペプチドの結合親和性、または、配列番号１に示されるアミノ酸配列を有するＣＤ８０ポリペプチドの結合親和性と比較して、図４Ａ−４Ｃの１つに示されるアミノ酸配列を有するＣＤ２８ポリペプチドに対する結合親和性の低下を示す、請求項１に記載の多量体ポリペプチド。
【請求項４】
ａ１）前記第１のポリペプチドは、
ｉ）前記エピトープ、
ｉｉ）前記第１のＭＨＣポリペプチド、及び
ｉｉｉ）前記変異４−１ＢＢＬポリペプチド
をＮ末端からＣ末端の順序で含み、
ｂ１）前記第２のポリペプチドは、
ｉ）前記変異ＣＤ８０ポリペプチド、及び
ｉｉ）前記第２のＭＨＣポリペプチド
をＮ末端からＣ末端の順序で含むか、
または、
ａ２）前記第１のポリペプチドは、
ｉ）前記エピトープ、
ｉｉ）前記第１のＭＨＣポリペプチド、及び
ｉｉｉ）前記変異ＣＤ８０ポリペプチド
をＮ末端からＣ末端の順序で含み、
ｂ２）前記第２のポリペプチドは、
ｉ）前記変異４−１ＢＢＬポリペプチド、及び
ｉｉ）前記第２のＭＨＣポリペプチド
をＮ末端からＣ末端の順序で含む、
請求項１〜３のいずれか１項に記載の多量体ポリペプチド。
【請求項５】
前記第１のＭＨＣポリペプチドは、β２−ミクログロブリンポリペプチドであり、前記第２のＭＨＣポリペプチドは、ＭＨＣクラスＩ重鎖ポリペプチドである、請求項１〜４のいずれか１項に記載の多量体ポリペプチド。
【請求項６】
前記第１のＭＨＣポリペプチドは、ＭＨＣクラスＩＩアルファ鎖ポリペプチドであり、前記第２のＭＨＣポリペプチドは、ＭＨＣクラスＩＩベータ鎖ポリペプチドである、請求項１〜４のいずれか１項に記載の多量体ポリペプチド。
【請求項７】
前記第１の免疫調節ポリペプチドは、アミノ酸Ｉ６７、アミノ酸Ｋ８６、またはアミノ酸Ｄ１５８の置換を含む変異ＣＤ８０免疫調節ポリペプチドである、請求項１〜６のいずれか１項に記載の多量体ポリペプチド。
【請求項８】
前記第２の免疫調節ポリペプチドは、Ｋ１２７の置換を含む変異４−１ＢＢＬ免疫調節ポリペプチドである、請求項１〜７のいずれか１項に記載の多量体ポリペプチド。
【請求項９】
前記変異４−１ＢＢＬポリペプチドは、
【化１】
2019522465.tif 000001
（配列番号１１）（Ｘは、Ａｌａ、Ｇｌｙ、Ｖａｌ、Ｉｌｅ、Ｌｅｕ、Ａｒｇ、Ｈｉｓ、Ｇｌｕ、またはＡｓｐである）というアミノ酸配列に対して少なくとも９０％のアミノ酸配列同一性を有するアミノ酸配列を含む、請求項１〜８のいずれか１項に記載の多量体ポリペプチド。
【請求項１０】
前記変異ＣＤ８０ポリペプチドは、
【化２】
2019522465.tif 000002
（配列番号５）（Ｘは、Ａｌａ、Ｇｌｙ、Ｖａｌ、Ｌｅｕ、Ａｒｇ、Ｈｉｓ、Ｌｙｓ、Ｇｌｕ、またはＡｓｐである）というアミノ酸配列に対して少なくとも９０％のアミノ酸配列同一性を有するアミノ酸配列を含むか、
【化３】
2019522465.tif 000003
（配列番号７）（Ｘは、Ａｌａ、Ｇｌｙ、Ｖａｌ、Ｌｅｕ、Ｉｌｅ、Ａｒｇ、Ｈｉｓ、Ｇｌｕ、またはＡｓｐである）というアミノ酸配列に対して少なくとも９０％のアミノ酸配列同一性を有するアミノ酸配列を含むか、または、
【化４】
2019522465.tif 000004
（配列番号９）（Ｘは、Ａｌａ、Ｇｌｙ、Ｖａｌ、Ｌｅｕ、Ｉｌｅ、Ａｒｇ、Ｈｉｓ、Ｌｙｓ、またはＧｌｕである）というアミノ酸配列に対して少なくとも９０％のアミノ酸配列同一性を有するアミノ酸配列を含む、
請求項１〜９のいずれか１項に記載の多量体ポリペプチド。
【請求項１１】
請求項１〜１０のいずれか１項における第１ポリペプチド及び／または第２ポリペプチドをコードするヌクレオチド配列を含む、核酸。
【請求項１２】
請求項１１に記載の核酸を含む、発現ベクター。
【請求項１３】
請求項１２に記載の発現ベクターで遺伝子改変された、宿主細胞。
【請求項１４】
エピトープ特異的Ｔ細胞の活性の選択的調節方法であって、
前記エピトープ特異的Ｔ細胞と、請求項１〜１０のいずれか１項に記載の多量体ポリペプチドと、の接触を含み、前記接触が、前記エピトープ特異的Ｔ細胞の活性を選択的に調節する、方法。
【請求項１５】
前記エピトープは、がん関連エピトープであり、前記がん関連エピトープに特異的なＴ細胞の活性が選択的に増加する、請求項１４に記載の方法。
【請求項１６】
ａ）請求項１〜１０のいずれか１項に記載の多量体ポリペプチドと、
ｂ）医薬的に許容可能な賦形剤と、
を含む、組成物。
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
第1の遺伝子を標的化した長さ10から30個の連結されたヌクレオシドのアンチセンスオリゴヌクレオチドと第2の遺伝子を標的化した長さ10から30個の連結されたヌクレオシドのアンチセンスオリゴヌクレオチドとから構成されるオリゴヌクレオチドシェルを有するコアを含み、
コアが、脂質二重層によって取り囲まれた固体またはリポソームもしくはリポプレックス複合体コアであり、オリゴヌクレオチドシェルがコアの外面上に位置する、
多重アンチセンスオリゴヌクレオチド球状核酸（mASO-SNA）。
【請求項２】
第1の遺伝子および第2の遺伝子が疾患に関連する、請求項１に記載のmASO-SNA。
【請求項３】
疾患が炎症性障害である、請求項２に記載のmASO-SNA。
【請求項４】
疾患が乾癬である、請求項２または３に記載のmASO-SNA。
【請求項５】
第1の遺伝子および第2の遺伝子が標的経路に関連する、請求項１〜４のいずれか一項に記載のmASO-SNA。
【請求項６】
さらに、第3の遺伝子を標的化した長さ10から30個の連結されたヌクレオシドのアンチセンスオリゴヌクレオチドを含む、請求項１〜５のいずれか一項に記載のmASO-SNA。
【請求項７】
第1の遺伝子がインターロイキン17受容体（IL-17RA）である、請求項１〜６のいずれか一項に記載のmASO-SNA。
【請求項８】
第2の遺伝子がTNFである、請求項１〜７のいずれか一項に記載のmASO-SNA。
【請求項９】
第1の遺伝子を標的化したアンチセンスオリゴヌクレオチドおよび第2の遺伝子を標的化したアンチセンスオリゴヌクレオチドが、およその等モル量でオリゴヌクレオチドシェル中に存在する、請求項１〜８のいずれか一項に記載のmASO-SNA。
【請求項１０】
障害を処置するための方法において用いるための組成物であって、
該組成物が、第1の遺伝子を標的化した長さ10から30個の連結されたヌクレオシドのアンチセンスオリゴヌクレオチドと第2の遺伝子を標的化した長さ10から30個の連結されたヌクレオシドのアンチセンスオリゴヌクレオチドとから構成されるオリゴヌクレオチドシェルを有するコアを含む、多重アンチセンスオリゴヌクレオチド球状核酸（mASO-SNA）を、障害を処置するための有効量で含み、
コアが、脂質二重層によって取り囲まれた固体またはリポソームもしくはリポプレックス複合体コアであり、オリゴヌクレオチドシェルがコアの外面上に位置する、前記組成物。
【請求項１１】
障害が炎症性障害である、請求項１０に記載の組成物。
【請求項１２】
mASO-SNAが第1および第2の遺伝子の同時的なmRNAノックダウンを生ずる、請求項１０に記載の組成物。
【請求項１３】
第1の遺伝子および第2の遺伝子がある標的経路に関連する、請求項１０に記載の組成物。
【請求項１４】
mASO-SNAが標的経路の相加的ノックダウンを生ずる、請求項１３に記載の組成物。
【請求項１５】
障害が乾癬である、請求項１０〜１４のいずれか一項に記載の組成物。
【請求項１６】
インビボの遺伝子の発現レベルを縮減するための方法において用いるための組成物であって、
該組成物が、第1の遺伝子を標的化した長さ10から30個の連結されたヌクレオシドのアンチセンスオリゴヌクレオチドと第2の遺伝子を標的化した長さ10から30個の連結されたヌクレオシドのアンチセンスオリゴヌクレオチドとから構成されるオリゴヌクレオチドシェルを有するコアを含む、多重アンチセンスオリゴヌクレオチド球状核酸（mASO-SNA）を含む医薬組成物を、インビボの第1の遺伝子の発現レベルを縮減するための有効量で含み、
コアが、脂質二重層によって取り囲まれた固体またはリポソームもしくはリポプレックス複合体コアであり、オリゴヌクレオチドシェルがコアの外面上に位置する、前記組成物。
【請求項１７】
第1の遺伝子、第2の遺伝子および第3の遺伝子が標的経路に関連する、請求項１〜９のいずれか一項に記載のmASO-SNA。
【請求項１８】
第1の遺伝子および第2の遺伝子が異なる標的経路に関連する、請求項１〜９のいずれか一項に記載のmASO-SNA。
【請求項１９】
第1の遺伝子、第2の遺伝子および第3の遺伝子が異なる標的経路に関連する、請求項１〜９のいずれか一項に記載のmASO-SNA。
【請求項２０】
第1の遺伝子がインターロイキン-4受容体（IL-4R）である、請求項１〜６のいずれか一項に記載のmASO-SNA。
【請求項２１】
第2の遺伝子がインターロイキン-1ベータ（IL-1β）である、請求項１〜８のいずれか一項に記載のmASO-SNA。
【請求項２２】
第3の遺伝子が結合組織成長因子（CTGF）である、請求項１〜９のいずれか一項に記載のmASO-SNA。
【請求項２３】
第1の遺伝子を標的化したアンチセンスオリゴヌクレオチド、第2の遺伝子を標的化したアンチセンスオリゴヌクレオチドおよび第3の遺伝子を標的化したアンチセンスオリゴヌクレオチドが、およその等モル量でオリゴヌクレオチドシェル中に存在する、請求項１〜９のいずれか一項に記載のmASO-SNA。
【請求項２４】
請求項１〜９のいずれか一項に記載のmASO-SNAを含む、医薬組成物。
【請求項２５】
医薬組成物がさらにゲル基剤を含む、請求項２４に記載の医薬組成物。
【請求項２６】
医薬組成物が1,2-ジオレオイル-sn-グリセロ-3-ホスホコリン（DOPC）、ジエチレングリコールモノエチルエーテル（Transcutol P）、グリセリン、ヒドロキシエチルセルロース、メチルパラベン、プロピルパラベン、EDTA二ナトリウム、ピロ亜硫酸ナトリウム、および水の1つ以上を含む、請求項２４または２５に記載の医薬組成物。
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
被験体から、タンパク質ＤＮＡ複合体を含む保存されたサンプルを得る工程；
タンパク質ＤＮＡ複合体が破壊されないように、第１のセグメント及び第２セグメントがリン酸ジエステル骨格から独立して共に保持されるように、ならびに、第１のセグメント及び第２セグメントがそれぞれ、少なくとも１つの暴露された核酸末端を有するように、核酸を単離するために、保存されたサンプルを処理する工程；及び
サンプル中のタンパク質ＤＮＡ複合体の核酸を分析することによりゲノムの構造情報を引き出す工程を含み、
ここで、保存されたサンプルは、ホルマリン固定パラフィン包埋（ＦＦＰＥ）サンプルである
ことを特徴とする方法。
【請求項２】
保存されたサンプルは架橋される、ことを特徴とする請求項１に記載の方法。
【請求項３】
保存されたサンプルは、ホルムアルデヒド、ホルマリン、ＵＶ光、マイトマイシンＣ、ナイトロジェンマスタード、メルファラン、１，３−ブタジエンジエポキシド、シスジアミンジクロロプラチナム（ＩＩ）、及びシクロホスファミドのうち少なくとも１つを使用して架橋される、ことを特徴とする請求項２に記載の方法。
【請求項４】
保存されたサンプルはその中の核酸に関する位置情報を維持する、ことを特徴とする請求項１に記載の方法。
【請求項５】
ゲノムの構造情報は、基準ゲノムに対する逆位、挿入、欠失、及び転座のうち少なくとも１つを示す、ことを特徴とする請求項１に記載の方法。
【請求項６】
核酸の第１のセグメント及び第２のセグメントに関するフェーズ状況を示す情報を引き出す工程を含む、請求項１に記載の方法。
【請求項７】
物理的連鎖情報を伝えるように第１のセグメントの暴露された核酸末端及び第２のセグメントの暴露された核酸末端にタグを付ける工程を含む、請求項１に記載の方法。
【請求項８】
タグを付ける工程は、オリゴヌクレオチドが構造情報を示す情報を伝えるように、保存されたサンプルの第１のセグメントの暴露された核酸末端にオリゴヌクレオチドをライゲートする工程を含む、ことを特徴とする請求項７に記載の方法。
【請求項９】
タグを付ける工程は、ペアエンド分子を形成するために第２のセグメントの暴露された核酸末端に、第１のセグメントの暴露された核酸末端をライゲートする工程を含む、ことを特徴とする請求項７に記載の方法。
【請求項１０】
保存されたサンプルは、保存された組織サンプルをキシレンとエタノールのうち少なくとも１つに接触させることにより処理される、ことを特徴とする請求項１に記載の方法。
【請求項１１】
保存されたサンプルは、保存された組織サンプルをアントラニル酸塩とホスファニル酸塩のうち少なくとも１つに接触させることにより処理される、ことを特徴とする請求項１に記載の方法。
【請求項１２】
保存されたサンプルは４０℃以下の温度で処理される、ことを特徴とする請求項１に記載の方法。
【請求項１３】
保存されたサンプルは組織中のその配置を反映する位置情報を保存する、ことを特徴とする請求項１に記載の方法。
【請求項１４】
保存されたサンプルは核酸を単離させる前に均質化されない、ことを特徴とする請求項１に記載の方法。
【請求項１５】
保存されたサンプルは核酸を単離させる前に少なくとも１週間保管される、ことを特徴とする請求項１に記載の方法。
【請求項１６】
保存されたサンプルは核酸を単離させる前に少なくとも６か月間保管される、ことを特徴とする請求項１に記載の方法。
【請求項１７】
保存されたサンプルは核酸を単離させる前に収集点から輸送される、ことを特徴とする請求項１に記載の方法。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
リンパ球活性化遺伝子３（LAG-3）と結合する特異的結合要素であって、当該特異的結合要素のＣＨ３ドメインに位置するＬＡＧ−３抗原結合部位を含み、前記ＬＡＧ−３結合部位が、アミノ酸配列ＷＤＥＰＷＧＥＤ（配列番号１）及びＰＹＤＲＷＶＷＰＤＥ（配列番号３）を含み、前記アミノ酸配列ＷＤＥＰＷＧＥＤが前記ＣＨ３ドメインのＡＢループに位置し、前記アミノ酸配列ＰＹＤＲＷＶＷＰＤＥが前記ＣＨ３ドメインのＥＦループに位置する、特異的結合要素。
【請求項２】
前記ＬＡＧ−３抗原結合部位が、前記ＣＨ３ドメインのＣＤループに以下の配列：
（i）ＳＮＧＱＰＥＮＮＹ（配列番号２、８、及び１８）；
（ii）ＳＮＧＱＰＥＤＮＹ（配列番号１３）；
（iii）ＳＮＧＹＰＥＩＥＦ（配列番号２３）；
（iv）ＳＮＧＩＰＥＷＮＹ（配列番号２８）；
（v）ＳＮＧＹＡＥＹＮＹ（配列番号３３）；
（vi）ＳＮＧＹＫＥＥＮＹ（配列番号３８）；
（vii）ＳＮＧＶＰＥＬＮＶ（配列番号４３）；又は
（viii）ＳＮＧＹＱＥＤＮＹ（配列番号４８）
の１つをさらに含む、請求項１に記載の特異的結合要素。
【請求項３】
前記ＬＡＧ−３抗原結合部位が、前記ＣＨ３ドメインのＣＤループ中に、配列番号２に示されるアミノ酸配列を含む、請求項２に記載の特異的結合要素。
【請求項４】
配列番号５、１０、１５、２０、２５、３０、３５、４０、４５、又は５０に示される前記ＣＨ３ドメインを含む、請求項１から３のいずれか一項に記載の特異的結合要素。
【請求項５】
配列番号５に示される前記ＣＨ３ドメインを含む、請求項４に記載の特異的結合要素。
【請求項６】
ＣＨ２ドメインをさらに含む、請求項１から５のいずれか一項に記載の特異的結合要素。
【請求項７】
前記ＣＨ２ドメインが、配列番号５３又は配列番号５４に示される配列を有する、請求項６に記載の特異的結合要素。
【請求項８】
配列番号６、７、１１、１２、１６、１７、２１、２２、２６、２７、３１、３２、３６、３７、４１、４２、４６、４７、５１、又は５２に示される配列を含む、請求項１から７のいずれか一項に記載の特異的結合要素。
【請求項９】
配列番号６又は７に示される配列を含む、請求項８に記載の特異的結合要素。
【請求項１０】
前記ＣＨ２ドメインのＮ末端に、免疫グロブリンヒンジ領域又はその部分をさらに含む、請求項１から９のいずれか一項に記載の特異的結合要素。
【請求項１１】
前記ヒンジ領域又はその部分が、配列番号５７又は配列番号５８に示される配列を有する、請求項１０に記載の特異的結合要素。
【請求項１２】
当該特異的結合要素が、ＣＤＲに基づいた抗原結合部位をさらに含み、抗体分子である、請求項１から１１のいずれか一項に記載の特異的結合要素。
【請求項１３】
前記抗体分子のＣＤＲに基づいた抗原結合部位が、免疫系調節物質である分子と結合する、請求項１２に記載の抗体分子。
【請求項１４】
請求項１から１３のいずれか一項に記載の特異的結合要素又は抗体分子をコードする核酸、又は請求項１から１３のいずれか一項に記載の特異的結合要素又は抗体分子をコードする核酸を含むベクター。
【請求項１５】
請求項１４に記載の核酸又はベクターを含む、組換え宿主細胞。
【請求項１６】
請求項１から１３のいずれか一項に記載の特異的結合要素又は抗体分子を産生する方法であって、
請求項１５に記載の組換え宿主細胞を、前記特異的結合要素又は前記抗体分子の産生のための条件下で培養する工程を含み、
任意で、前記特異的結合要素又は前記抗体分子を単離及び／又は精製する工程をさらに含む、
方法。
【請求項１７】
請求項１から１３のいずれか一項に記載の前記特異的結合要素又は前記抗体分子及び薬学的に許容される賦形剤を含む、薬学的組成物。
【請求項１８】
患者においてがんを処置するための薬学的組成物であって、請求項１２又は１３に記載の抗体分子を含む、薬学的組成物。
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
哺乳動物被験体の眼内の高い眼内圧を無線で低減するためのシステムであって、
複数の巻線に形成された細長導体から構成され、哺乳動物被験体の眼に隣接して位置決めされるようになったコイルと、
前記コイルと電気通信し、前記哺乳動物被験体の前記眼内の高い眼内圧を低減する治療有効量で該コイルから該哺乳動物被験体の該眼に無線送信される電磁場を生成する信号を発生させるように構成された信号発生器と、
を含み、
前記哺乳動物被験体の前記眼内の前記高い眼内圧は、（ｉ）該眼の前眼部内への房水流入を低減すること、及び（ｉｉ）該眼の該前眼部からの房水流出を増加させることのうちの少なくとも一方によって低減されることを特徴とするシステム。
【請求項２】
前記眼の前記前眼部内への眼内液流入の前記低減は、前記電磁場が該眼内の毛様体内の毛様体上皮ポンプに該眼の該前眼部内への眼内液の発生を逆行させるか又は遅速させる結果として起こることを特徴とする請求項１に記載のシステム。
【請求項３】
前記眼の前記前眼部からの眼内液流出の前記増加は、前記電磁場が該前眼部からの少なくとも１つの流体通路に開かせる、拡張させる、又は他に流体流出機能を増大させる結果として起こることを特徴とする請求項１に記載のシステム。
【請求項４】
前記眼内の前記少なくとも１つの流体通路は、該眼のシュレム管の少なくとも一部分を通る排出通路と該眼の前記前眼部からのぶどう膜強膜流出機構とを含むことを特徴とする請求項３に記載のシステム。
【請求項５】
哺乳動物被験体の眼内の高い眼内圧を無線で低減するためのシステムであって、
複数の巻線に形成された細長導体から構成され、哺乳動物被験体の眼に隣接して位置決めされるようになったコイルと、
前記コイルと電気通信し、前記哺乳動物被験体の前記眼内の高い眼内圧を低減する治療有効量で該コイルから該哺乳動物被験体の該眼に無線送信される電磁場を生成する信号を発生させるように構成された信号発生器と、
前記哺乳動物被験体の前記眼上、眼内、及びその近くのうちの少なくとも１つに位置決めされるようになっており、前記コイルから前記電磁場を無線受信し、かつ少なくとも１つの眼内構造体を刺激して哺乳動物の眼内の前記高い眼内圧を低減するようになった受動刺激電極アセンブリと、
を含むことを特徴とするシステム。
【請求項６】
前記受動刺激電極アセンブリによる前記少なくとも１つの眼内構造体の前記刺激は、（ｉ）前記眼の前記前眼部内への房水流入を低減すること、及び（ｉｉ）該眼の該前眼部からの房水流出を増加させることのうちの少なくとも一方によって前記高い眼内圧を低減することを特徴とする請求項５に記載のシステム。
【請求項７】
前記受動刺激電極アセンブリによる前記眼の前記前眼部内への房水流入の前記低減は、該受動刺激電極アセンブリによる前記刺激が該眼内の毛様体内の毛様体上皮ポンプに該眼の該前眼部内への房水の発生を逆行させるか又は遅速させる結果として起こることを特徴とする請求項６に記載のシステム。
【請求項８】
前記受動刺激電極アセンブリによる前記眼の前記前眼部からの房水流出の前記増加は、該受動刺激電極アセンブリによる前記刺激が該前眼部からの少なくとも１つの流体通路に開かせる、拡張させる、又は他に流体流出機能を増大させる結果として起こることを特徴とする請求項６に記載のシステム。
【請求項９】
哺乳動物被験体の眼内の高い眼内圧を無線で低減する方法であって、
コイルから哺乳動物被験体の眼に該眼内の高い眼内圧を低減する治療有効量で送出される電磁場を無線で送信する段階、
を含み、
前記コイルは、複数の巻線に形成された細長導体から構成され、
前記電磁場を送信する段階は、前記哺乳動物被験体の前記眼内の高い眼内圧を（ｉ）該眼の前眼部内への房水流入を低減すること、及び（ｉｉ）該眼の該前眼部からの房水流出を増加させることのうちの少なくとも一方によって低減することを特徴とする方法。
【請求項１０】
前記眼の前記前眼部内への眼内液流入の前記低減は、前記電磁場が該眼内の毛様体内の毛様体上皮ポンプに該眼の該前眼部内への眼内液の発生を逆行させるか又は遅速させる結果として起こることを特徴とする請求項９に記載の方法。
【請求項１１】
前記眼の前記前眼部からの眼内液流出の前記増加は、前記電磁場が該前眼部からの少なくとも１つの流体通路に開かせる、拡張させる、又は他に流体流出機能を増大させる結果として起こることを特徴とする請求項９に記載の方法。
【請求項１２】
前記眼内の前記少なくとも１つの流体通路は、該眼のシュレム管の少なくとも一部分を通る排出通路と該眼の前記前眼部からのぶどう膜強膜流出機構とを含むことを特徴とする請求項１１に記載の方法。
【請求項１３】
哺乳動物被験体の眼内の高い眼内圧を無線で低減する方法であって、
コイルから哺乳動物被験体の眼に該眼内の高い眼内圧を低減する治療有効量で送出される電磁場を無線で送信する段階、
を含み、
前記コイルは、複数の巻線に形成された細長導体から構成され、
前記電磁場を前記コイルから前記眼に無線で送信する段階は、該電磁場を該コイルから少なくとも１つの眼内構造体を刺激して高い眼内圧を低減するようになった受動刺激電極アセンブリに送信する段階を含むことを特徴とする方法。
【請求項１４】
前記受動刺激電極アセンブリによる前記少なくとも１つの眼内構造体の前記刺激は、（ｉ）前記眼の前記前眼部内への房水流入を低減すること、及び（ｉｉ）該眼の該前眼部からの房水流出を増加させることのうちの少なくとも一方によって前記高い眼内圧を低減することを特徴とする請求項１３に記載の方法。
【請求項１５】
前記受動刺激電極アセンブリによる前記眼の前記前眼部内への房水流入の前記低減は、該受動刺激電極アセンブリによる前記刺激が該眼内の毛様体内の毛様体上皮ポンプに該眼の該前眼部内への房水の発生を逆行させるか又は遅速させる結果として起こることを特徴とする請求項１４に記載の方法。
【請求項１６】
前記受動刺激電極アセンブリによる前記眼の前記前眼部からの房水流出の前記増加は、該受動刺激電極アセンブリによる前記刺激が該前眼部からの少なくとも１つの流体通路に開かせる、拡張させる、又は他に流体流出機能を増大させる結果として起こることを特徴とする請求項１４に記載の方法。
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
基材；
双性イオン性ポリマーを含む架橋コーティングであって、双性イオン性ポリマーが架橋剤を含み、当該架橋コーティングは、当該基材の少なくとも１つの表面に共有結合しており、そして生体分子、細胞、組織または細菌による付着に抵抗するように構成されている、架橋コーティング；
を含むシステム。
【請求項２】
当該基剤が医療用デバイスの構成素子である、請求項１に記載のシステム。
【請求項３】
双性イオン性ポリマーが双性イオン性モノマー単位を含む、請求項１または２に記載の
システム。
【請求項４】
双性イオン性モノマー単位が、ホスホリルコリン部分、スルホベタイン部分、カルボキシベタイン部分、またはその組合わせを含む、請求項３に記載のシステム。
【請求項５】
双性イオン性モノマー単位が、カルボキシベタイン（メタ）アクリレート、ホスホリルコリン（メタ）アクリレート、スルホベタイン（メタ）アクリレート、カルボキシベタインアクリルアミド、及びスルホベタインアクリルアミドからなる群から選択される、請求項４に記載のシステム。
【請求項６】
当該基剤が金属系基材又は合成基材である、請求項１〜５のいずれか１項に記載のシステム。
【請求項７】
医療用デバイスが、カテーテル、脈管ステント、歯科インプラント、コンタクトレンズ
、人工内耳、外科用器具、検査鏡、プローブ、脈管内カテーテル、チュービング（ＩＶ、
動脈ライン、中枢ライン）、鼓膜チューブ、プレート、スクリュー、ピン、ロッド、能動
型または受動型能の人工中耳、人工椎間板、気管内または気管切開チューブ、脳脊髄液シ
ャント、外科用ドレーン、胸腔チューブおよびドレーン、気管支内ステント、尿ステント
、胆汁ステント、涙ステント、ペースメーカー、除細動器、神経刺激装置、脊髄刺激装置
、脳深部刺激装置、埋込みヘルニアメッシュ、埋込み女性泌尿器メッシュ、眼内レンズ、
美容乳房インプラント、美容殿部インプラント、美容オトガイインプラント、美容頬イン
プラント、受胎調節デバイス、薬物送達デバイス、医療用装置または機器、および整形外科インプラントからなる群から選択される、請求項２に記載のシステム。
【請求項８】
架橋剤が、エチレングリコールジメタクリレート（ＥＧＤＭＡ）、ポリ（エチレングリコール）ジ（メタ）アクリレート（ＰＥＧＤ（Ｍ）Ａ）、プロピレングリコールジアクリレート、ビスフェノールＡ  エトキシレートジアクリレート、Ｎ，Ｎ’−メチレンビス（アクリルアミド）、ペンタエリトリトールテトラアクリレート、１，３−ブチレングリコールジメタクリレート（ＢＧＤＭＡ）、１，４−ブタンジオールジアクリレート（ＢＤＤＡ）、１，６−ヘキサンジオールジアクリレート（ＨＤＤＡ）、ヘキサンジオールジメタクリレート（ＨＤＤＭＡ）、１−カルボキシ−Ｎ−メチル−Ｎ−ジ（２−メタクリロイルオキシ−エチル）メタナミニウム分子内塩（ＣＢＭＸ）、（メタ）アクリルアミド、ネオペンチルグリコールジアクリレート（ＮＰＧＤＡ）、およびトリメチロールプロパントリアクリレート（ＴＭＰＴＡ）からなる群から選択される、請求項１に記載のシステム。
【請求項９】
架橋コーティングがヒドロゲルである、請求項１〜８のいずれか１項に記載のシステム。
【請求項１０】
架橋コーティングが、選択された重合領域を含むパターンを形成している、請求項１〜９のいずれか１項に記載のシステム。
【請求項１１】
架橋コーティングが、少なくとも約１００ｎｍの厚さを有する、請求項１〜１０のいず
れか１項に記載のシステム。
【請求項１２】
医療用システムの構成素子の少なくとも１つの表面に組織または防汚コーティングを作
成するための、下記を含む方法：
当該コーティングの接着を増進するための物質で当該表面を前処理する；
双性イオン性モノマーを含有する液体を医療用システムの構成素子の表面に適用する;
及び
双性イオン性モノマーを架橋剤の存在下において光源下で重合させて、双性イオン性ポ
リマーコーティングを形成する。
【請求項１３】
双性イオン性モノマーが、ホスホリルコリン部分、スルホベタイン部分、カルボキシベタイン部分、またはその組合わせを含む、請求項１２に記載の方法。
【請求項１４】
双性イオン性モノマーが、カルボキシベタインメタクリレート及びスルホベタインメタクリレートからなる群から選択される、請求項１３に記載の方法。
【請求項１５】
光源が紫外（ＵＶ）線である、請求項１２〜１４のいずれか１項に記載の方法。
【請求項１６】
架橋剤が、エチレングリコールジメタクリレート（ＥＧＤＭＡ）、ポリ（エチレングリコール）ジ（メタ）アクリレート（ＰＥＧＤ（Ｍ）Ａ）、プロピレングリコールジアクリレート、ビスフェノールＡ  エトキシレートジアクリレート、Ｎ，Ｎ’−メチレンビス（アクリルアミド）、ペンタエリトリトールテトラアクリレート、１，３−ブチレングリコールジメタクリレート（ＢＧＤＭＡ）、１，４−ブタンジオールジアクリレート（ＢＤＤＡ）、１，６−ヘキサンジオールジアクリレート（ＨＤＤＡ）、ヘキサンジオールジメタクリレート（ＨＤＤＭＡ）、ネオペンチルグリコールジアクリレート（ＮＰＧＤＡ）、およびトリメチロールプロパントリアクリレート（ＴＭＰＴＡ）からなる群から選択される、請求項１２〜１５のいずれか１項に記載の方法。
【請求項１７】
当該表面を水素引抜き型光開始剤で前処理する、請求項１２〜１６のいずれか１項に記
載の方法。
【請求項１８】
水素引抜き型光開始剤が、カンファーキノン、ベンゾフェノン、チオキサントン、６，
７−ジクロロ−５，８−キノリンジオン、１，４−ナフトキノン、ナフトジオキシノン−
１，３−ベンゾジオキソール、その誘導体、およびその混合物からなる群から選択される
、請求項１７に記載の方法。
【請求項１９】
双性イオン性モノマーを含む液体が、追加の光開始剤をさらに含む、請求項１７に記載の方法。
【請求項２０】
光源が、水素引抜き型光開始剤を光活性化し、同時に双性イオン性モノマーを重合させ
て、双性イオン性ポリマーコーティングを基材に共有結合させる、請求項１７に記載の方
法。
【請求項２１】
さらに、フォトマスクを用いて医療用システムの構成素子の表面の一部分を覆い、当該
表面のその部分における重合反応を阻止することを含む、請求項１２〜２０のいずれか１
項に記載の方法。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
相互連結されたポリマーストランドのネットワークであって、
前記相互連結されたポリマーストランドのそれぞれは、組織部位に接触するようになされた第１の表面を有し、
前記相互連結されたポリマーストランドのうちの少なくとも１つは、前記相互連結されたポリマーストランドの前記第１の表面から延びる複数の形体を有し、
前記相互連結されたポリマーストランドのうちの少なくとも１つは、直線状ではない、相互連結されたポリマーストランドのネットワークと、
隣接する相互連結したポリマーストランドの間にある複数の開口部と、を含む物品であって、
前記物品は、負圧創傷治療用品である、物品。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
ゲームテーブルのテーブル表面上でのゲームプレイをモニタする方法であって、
前記テーブル表面の画像を捕捉するように構成されている少なくとも１つのカメラを設けることと、
前記テーブル表面の被写界深度を捕捉するように構成されている少なくとも１つの深度センサを設けることと、
前記カメラおよび前記深度センサと通信状態にあるコンピューティングデバイスを設けることと、
前記コンピューティングデバイスによって、前記テーブル表面の捕捉画像をリアルタイムで分析して、前記テーブル表面上の目的とする複数の第１の予め規定された領域のうちの１つにおけるゲーム対象物の存在を識別することと、
目的とする第１の予め規定された領域の前記１つにおいて、前記ゲーム対象物が存在すると識別されることに応じて、ゲームイベントのタイムスタンプを記録することと、
前記コンピューティングデバイスによって、ゲームイベントデータをサーバに送信することであって、前記ゲームイベントデータが、前記タイムスタンプ、前記ゲームイベントの指標、および前記目的とする第１の予め規定された領域の前記１つの識別子を含むことと
を含み、
前記分析することが、
前記テーブル表面上の賭け対象物の１つまたは複数の群を識別し、賭け対象物の各群は、少なくとも１つの賭け対象物を含むことと、
前記捕捉された被写界深度に基づいて、前記テーブル表面に対する前記賭け対象物の各群の高さを予測することと、
前記予測された賭け対象物の各群の高さに基づいて、賭け対象物の各群内に存在する賭け対象物の数を予測することと、
をさらに含む、方法。
【請求項２】
前記コンピューティングデバイスによって、前記テーブル表面の捕捉画像をリアルタイムで分析することは、
前記賭け対象物に対応する１つまたは複数のエッジを検出することと、
前記賭け対象物を識別するために、前記１つまたは複数のエッジの輪郭を、所定の輪郭モデルに近似させることと、
をさらに含む、請求項１に記載の方法。
【請求項３】
前記１つまたは複数の群の賭け対象物の存在が、複数の目的とする第２の予め規定された領域のうちの１つにおいて識別される、請求項１に記載の方法。
【請求項４】
前記分析することが、
賭け対象物の各群の一番上の賭け対象物の色を識別することと、
少なくとも１つの賭け対象物の存在が識別される目的とする第２の予め規定された領域の各々と関連付けられた賭け金を自動的に予測することと
をさらに含み、
前記予測することが、賭け対象物の各群の前記一番上の賭け対象物の識別された前記色、および前記目的とする第２の予め規定された領域の各々内の賭け対象物の各群内の賭け対象物の前記予測された数に基づく、請求項３に記載の方法。
【請求項５】
前記捕捉画像が、マルチスペクトル画像を含み、
前記分析することが、前記テーブル表面上の前記複数の目的とする第１の予め規定された領域または目的とする第２の予め規定された領域のうちのいずれか１つにおける前記ゲーム対象物の存在を識別するために、前記マルチスペクトル画像をマルチフレーム処理することをさらに含む、請求項４に記載の方法。
【請求項６】
前記深度センサは、１つまたは複数の飛行時間データ点を含む被写界深度を捕捉し、前記１つまたは複数の飛行時間データ点の各々は、前記少なくとも１つの深度センサによって投影された光、および前記少なくとも１つの深度センサによって感知された反射光に関連する位相情報を含み、
前記分析することは、
ゲーム対象物または賭け対象物に対応していない前記１つまたは複数の飛行時間データ点の主要なコンポーネント分析に基づいて、前記ゲームテーブルの前記テーブル表面に対するモデルを決定することと、
前記テーブル表面に対する１つまたは複数の群の賭け対象物の各々の高さが、前記１つまたは複数の群の賭け対象物に対応している前記１つまたは複数の飛行時間データ点、および前記テーブル表面に対する前記決定されたモデルに基づいて決定されたことを決定することと、
をさらに含む、請求項１に記載の方法。
【請求項７】
ゲームテーブルのテーブル表面上でのゲームプレイをモニタするシステムであって、
前記テーブル表面の画像を捕捉するように構成されている少なくとも１つのカメラと、
前記カメラと通信状態にあるコンピューティングデバイスと、
前記テーブル表面の被写界深度を捕捉するように構成されている少なくとも１つの深度センサと、
を備え、
前記コンピューティングデバイスは、
前記テーブル表面の捕捉画像をリアルタイムで分析して、前記テーブル表面上の複数の目的とする第１の予め規定された領域のうちのいずれか１つにおけるゲーム対象物の存在を識別し、
前記複数の目的とする第１の予め規定された領域のうちのいずれか１つにおいて、前記ゲーム対象物が存在すると識別されることに応じて、ゲームイベントのタイムスタンプを記録し、
ゲームイベントデータをサーバに送信する
ように構成されており、前記ゲームイベントデータが、前記タイムスタンプ、前記ゲームイベントの指標、および前記目的とする第１の予め規定された領域の識別子を含み、
前記捕捉画像のリアルタイムでの分析は、
前記テーブル表面上の賭け対象物の１つまたは複数の群を識別し、賭け対象物の各群は、少なくとも１つの賭け対象物を含むことと、
前記捕捉された被写界深度に基づいて、前記テーブル表面に対する前記賭け対象物の各群の高さを予測することと、
前記予測された賭け対象物の各群の高さに基づいて、賭け対象物の各群内に存在する賭け対象物の数を予測することと、
をさらに含む、システム。
【請求項８】
請求項１に記載の方法にしたがって、ゲームテーブルのテーブル表面上でのゲームプレイをモニタする、プロセッサによって実行可能な命令を含む、一時的でないコンピュータ読取可能媒体。